(57)【特許請求の範囲】
【請求項１】
金属反射層と、この金属反射層を覆う絶縁膜により形成された平滑化層と、この平滑化層の表面に形成された表示に用いる複数の表示用電極および一方の端部が表示部に形成された前記表示用電極に距離（Ｌ）をおいて対向し、他方の端部がパネル形成領域外に向かって延びるように非表示部に配設される表示に関与しない複数のダミー電極とを矩形状の液晶表示パネル形成領域に有し、この液晶表示パネル形成領域が複数個形成された反射型液晶表示パネル用マザー基板において、
前記液晶表示パネル形成領域外に放電用電極を形成し、この放電用電極に前記各ダミー電極の前記他方の端部を接続したことを特徴とする反射型液晶表示パネル用マザー基板。
【請求項２】
前記ダミー電極の前記表示用電極と対向する端面と前記ダミー電極の長手方向に対して直交する方向に沿った両側面との接続部をそれぞれ平面曲線状に形成したことを特徴とする請求項１に記載の反射型液晶表示パネル用マザー基板。
【請求項３】
前記ダミー電極と前記表示用電極との相互に対向する相互間の距離を１０〜４０μｍとしたことを特徴とする請求項１または請求項２に記載の反射型液晶表示パネル用マザー基板。
【発明の詳細な説明】
【０００１】
【発明の属する技術分野】
本発明は、反射型液晶表示パネル用マザー基板に係り、特に、表示むらが生じることのないダミー電極を形成した液晶表示パネル用マザー基板に関する。
【０００２】
【従来の技術】
従来から文字や図形などの各種の画像を表示する表示装置の一種として液晶表示装置が知られており、このような液晶表示装置の表示部として一対の液晶表示パネル用基板の間に液晶が密封された液晶表示パネルが用いられている。また、液晶表示パネルの一種として、外部から入射した光を反射させて表示を行う反射型液晶表示パネルが、バックライトを用いないため、低消費電力化、薄型化、軽量化、低価格化、高密度化、高画質化などを容易に実現することができるなどの理由により近年多用されている。
【０００３】
このような反射型液晶表示パネルの構成としては、明るい表示を実現するために、視認方向の下流側に位置する裏面側の反射型液晶表示パネル用基板に光の反射機能をもたせ、視認方向の上流側（観察側）に位置する正面側の反射型液晶表示パネル用基板にのみ偏光板を配設した構成、例えば表示状態における視認方向の上流側に位置する正面側から見て、偏光板、透明基板、透明電極、配向膜、液晶層、配向膜、透明電極、平滑化層、金属反射層、透明基板をこの順に配置した構成のものが知られている。
【０００４】
一例を挙げると、平面ほぼ矩形に形成された一対の反射型液晶表示パネル用基板を相対向させ、周辺をシール材で囲み、これらの反射型液晶表示パネル用基板の対向面間に液晶を封入することにより形成された反射型液晶表示パネルがある。
【０００５】
前記一対の反射型液晶表示パネル用基板には透明電極からなる表示用電極が互いに直交するように整列配置されている。この両基板に形成された表示用電極の交点が画素となり、これら画素が形成された部分が画像を表示する表示部とされている。そして、この表示部の外側が非表示部とされており、前記非表示部には、電力および信号などの供給に用いられるフレキシブル回路基板の接続端子と電気的に接続されるパネル電極の配設部（端子部）および前記表示用電極と前記パネル電極とを接続する引出電極の配設部が形成されている。この引出電極の配設部は、シール材配設部を含む構成となっている。
【０００６】
すなわち、一方の反射型液晶表示パネル用基板の透明電極は、液晶が封入されシール材に囲まれた中央部側に位置する部位に整列配置された表示用電極と、端子部に整列配置されたパネル電極と、各表示用電極と各パネル電極とを接続する引出電極とを有する構成である。また、整列配置された表示用電極の配列方向の両外側の部位には、対向する他方の基板に形成された引出電極と対向するようにして前記表示用電極から独立した表示に関与しない複数のダミー電極が整列配置されることもある。
【０００７】
このダミー電極の長手方向の一端は、表示部に整列配置された表示用電極の配列方向の端部側に位置する表示用電極の長手方向に対して直交する側面に対向するように配設されており、ダミー電極の長手方向の他端は、パネル端面に対向するように配設されている。このダミー電極を配設するのは、表示用電極の表面には、ラビング布を巻いたローラなどで一方向にこすることなどによる配向処理が施された配向膜が形成されており、ラビング時の基板の表面状態をできるだけ一様にするためである。
【０００８】
つまり、ダミー電極を設けない場合には、表示部に形成された表示用電極の配列方向の端部側に位置する非表示部の表面の高さ位置が、表示部の表面の高さ位置よりダミー電極の分だけ低くなることになる。このため、ダミー電極を設けない場合には、ラビング時に、非表示部に隣位する表示部の表示用電極の表面に加わるラビング布の接触圧が、表示部の中央部分に位置する表示用電極の表面に加わるラビング布の接触圧より小さくなってラビングむらが生じ、その結果、表示むらが生じることになる。また、ラビング布の接触圧が異なるということは、ラビング布の消耗状態（痛み具合）が比較的短期間で異なるという不都合も生じる。
【０００９】
なお、パネル電極、引出電極およびダミー電極は、酸化インジウム錫（ＩＴＯ）などの透明導電膜をフォトリソ法などによりパターニングして表示用電極を形成する際に、表示用電極と同時に形成されている。すなわち、パネル電極、引出電極およびダミー電極は、表示用電極と同一の素材により形成された透明導電膜により表示用電極と同一の厚さにて形成されている。
【００１０】
一般に、液晶表示パネルは、複数個を同時に作成するために、表示用電極、引出電極、パネル電極、ダミー電極などを有する複数個の液晶表示パネル形成領域が形成された液晶表示パネル用マザー基板を用いる。そして、一対の液晶表示パネル用マザー基板を貼り合わせて液晶を各液晶表示パネル形成領域の表示部に注入した後に、液晶表示パネル形成領域に位置する部分を切り離して分割することにより個々の液晶表示パネルが形成される。
【００１１】
そこで、反射型液晶表示パネルにおいては、複数個を同時に作成するために、表示用電極、パネル電極、引出電極、ダミー電極などを有する複数個の液晶表示パネル形成領域が形成された反射型液晶表示パネル用マザー基板を用いる。そして、視認方向の上流側に位置する反射型液晶表示パネル用マザー基板であるフロントパネル用マザー基板と、金属反射層を有する視認方向の下流側に位置する反射型液晶表示パネル用マザー基板であるリアパネル用マザー基板とを貼り合わせて液晶を各液晶表示パネル形成領域の表示部に注入した後に、液晶表示パネル形成領域に位置する部分を切り離して分割することにより個々の反射型液晶表示パネルが形成される。
【００１２】
なお、カラー表示を行う場合には、一対の反射型液晶表示パネル用基板の一方にカラーフィルタが配設されるようになっており、一般的には、視認方向の下流側に位置する反射型液晶表示パネル用基板の金属反射層の表面の表示部に位置する部位にカラーフィルタが配設されるようになっている。
【００１３】
図３は従来の反射型液晶表示パネルに用いられる光の反射機能を具備する反射型液晶表示パネル用マザー基板のダミー電極近傍を示すものであり、従来の反射型液晶表示パネル用マザー基板としてのリアパネル用マザー基板１において、矩形状に形成された液晶表示パネル形成領域（一部のみ図示）２のうちの表示部３となる部位には、透明電極である複数の表示用電極４が整列配置されている。また、液晶表示パネル形成領域２のうちの非表示部５となる部位には、表示用電極４から独立した表示に関与しない複数のダミー電極６が整列配置されている。このダミー電極６は、図３において上下方向に示す表示用電極４の配列方向に沿った方向の辺部に位置する非表示部５に配設されている。また、ダミー電極６の長手方向の一端である図３において下方に示す下端は、複数の表示用電極４のうちの図３において上下方向に示す配列方向の端部側である液晶表示パネル形成領域２の端縁側に位置する表示用電極４の長手方向に対して直交する側面に対向するように配設されており、ダミー電極６の長手方向の他端である図３において上方に示す上端は、切り離し位置であるパネル端面に対向するように配設されている。なお、非表示部５のうちの図３において左右方向に示す表示用電極４の配列方向に対して直交する方向の辺部には、電力および信号などの供給に用いられるフレキシブル回路基板の接続端子と電気的に接続されるパネル電極が表示用電極４から延出された引出電極を介して整列配置されている。さらに、ダミー電極６は、対向する反射型液晶表示パネル用マザー基板としてのフロントパネル用マザー基板に形成された引出電極と対向するようにして形成されている。
【００１４】
なお、カラー表示に用いる一般的なリアパネル用マザー基板は、ガラスなどの透明な素材により平面矩形状に形成された透明基板上に複数の液晶表示パネル形成領域を設けることにより形成されている。そして、液晶表示パネル形成領域のうちの表示部の形成領域、および、非表示部の形成領域のうちの表示部に隣位する部位には、光の反射機能を発揮する金属反射層が設けられている。この金属反射層は、アルミニウムなどの金属を蒸着することなどにより形成されている。さらに、金属反射層の表面の表示部となる部位には、カラー表示を行うためのカラーフィルタが配設されており、透明基板の露出部、金属反射層の非表示部に位置する露出部およびカラーフィルタの表面は、アクリル系樹脂などの透明な絶縁膜により表面が平坦面となるように形成された平滑化層より覆われている。そして、平滑化層の平坦に形成された表面に、前記表示用電極、ダミー電極、引出電極およびパネル電極が形成されている。これらの表示用電極、ダミー電極、引出電極およびパネル電極は、酸化インジウム錫（ＩＴＯ）などの透明導電膜をフォトリソ法などによりパターニングして表示用電極を形成する際に、表示用電極と同時に形成されている。すなわち、パネル電極、引出電極およびダミー電極は、表示用電極と同一の素材により形成された透明導電膜により表示用電極と同一の厚さにて形成されている。また、表示用電極、ダミー電極、引出電極およびパネル電極の表面には、液晶分子を一定の形態に配列させるためのポリイミドなどの高分子からなる配向膜が配設されている。この配向膜の表面は、ラビング布を巻いたローラなどで一方向にこすることなどによる配向処理が施されており、こすった方向に液晶分子が配列するようにされている。
【００１５】
【発明が解決しようとする課題】
ところで、前述した従来の反射型液晶表示パネル用マザー基板としてのリアパネル用マザー基板１においては、ダミー電極６を設けることで、前述したラビングむらを防止することはできるものの、ダミー電極６が表示用電極４から独立した構成とされているので、ダミー電極６と金属反射層とがこれらの間に配設される絶縁膜により形成された平滑化層によりコンデンサ構成となるため、ダミー電極６にラビング時の静電気（電荷）が蓄積されることになる。その結果、ダミー電極６の端面と、ダミー電極６に隣位する配列方向の端部側に位置する表示用電極４の側面との間で、ダミー電極６の端面から表示用電極４の側面に対して放電が生じ、放電を受けた表示用電極４の表面に形成された配向膜がダメージを受けるため、反射型液晶表示パネルとした際に、液晶の配向異常が生じ、表示むらを生じる場合があるという問題点があった。
【００１６】
そこで、ダミー電極の形成に起因して生じる表示むらを防止することのできる反射型液晶表示パネル用マザー基板、すなわち、表示むらが生じることのないダミー電極を形成した反射型液晶表示パネル用マザー基板が求められている。
【００１７】
本発明はこれらの点に鑑みてなされたものであり、表示むらが生じることのないダミー電極を形成した反射型液晶表示パネル用マザー基板を提供することを目的とする。
【００１８】
【課題を解決するための手段】
前述した目的を達成するため、請求項１に係る本発明の反射型液晶表示パネル用マザー基板の特徴は、金属反射層と、この金属反射層を覆う絶縁膜により形成された平滑化層と、この平滑化層の表面に形成された表示に用いる複数の表示用電極および一方の端部が表示部に形成された前記表示用電極に距離（Ｌ）をおいて対向し、他方の端部がパネル形成領域外に向かって延びるように非表示部に配設される表示に関与しない複数のダミー電極とを矩形状の液晶表示パネル形成領域に有し、この液晶表示パネル形成領域が複数個形成された反射型液晶表示パネル用マザー基板において、前記液晶表示パネル形成領域外に放電用電極を形成し、この放電用電極に前記各ダミー電極の前記他方の端部を接続した点にある。そして、このような構成を採用したことにより、表示用電極の表面に加わるラビング布の接触圧を一様にしてラビングむらが生じるのを防止することができるとともに、ダミー電極に蓄積されるラビング時の静電気を、ダミー電極と表示用電極との間でなく、放電用電極で強制的に確実かつ容易に放電させることができる。したがって、ダミー電極と表示用電極との間に放電が生じるのを防止できるので、表示むらが生じることのない反射型液晶表示パネル用マザー基板を得ることができる。
【００１９】
また、請求項２に係る本発明の反射型液晶表示パネル用マザー基板の特徴は、請求項１において、ダミー電極の表示用電極と対向する端面とダミー電極の長手方向に対して直交する方向に沿った両側面との接続部をそれぞれ平面曲線状に形成した点にある。そして、このような構成を採用したことにより、ダミー電極と表示用電極との間に放電が生じるのをより確実に防止することができる。
【００２０】
また、請求項３に係る本発明の反射型液晶表示パネル用マザー基板の特徴は、請求項１または請求項２において、ダミー電極と表示用電極との相互に対向する相互間の距離を１０〜４０μｍとした点にある。そして、このような構成を採用したことにより、ラビングむらが生じるのを防止する機能と、放電するのを防止する機能とを両立させることがより確実にできる。
【００２１】
【発明の実施の形態】
図１は本発明に係る反射型液晶表示パネル用マザー基板の実施形態のダミー電極近傍の要部を拡大して示す概略平面図である。
【００２２】
図１に示すように、本実施形態の反射型液晶表示パネル用マザー基板としてのリアパネル用マザー基板１１は、反射型液晶表示パネル１２の一部となる図１の「パネル端面」の破線の下方で示される液晶表示パネル形成領域２を複数個有している（複数の液晶表示パネル形成領域２のうちの一つの一部のみ図示）。これらの液晶表示パネル形成領域２は、平面矩形状に形成されており、各液晶表示パネル形成領域２のうちの中央部に位置する表示部３となる部位には、透明電極である複数の表示用電極４が整列配置されている。また、液晶表示パネル形成領域２のうちの図１の「パネル端面」の破線の下方に隣位する辺部に位置する非示部５となる部位には、表示用電極４から独立した表示に関与しない複数のダミー電極１３が整列配置されている。さらにまた、図１の「パネル端面」の破線の上方に示される液晶表示パネル形成領域２外には、表示用電極４と平行に延在する放電用電極１４が配設されている。
【００２３】
前記ダミー電極１３は、図１において上下方向に示す表示用電極４の配列方向に沿った方向の辺部に位置する非表示部５に配設されている。そして、ダミー電極１３の長手方向の一方の端部である図１において下方に示す下端は、表示部３に整列配置された表示用電極４のうちの図１において上下方向に示す配列方向の端部側である液晶表示パネル形成領域２の端縁側に位置する表示用電極４の長手方向に対して直交する側面に対向するように配設されている。また、ダミー電極１３の長手方向の他方の端部である図１において上方に示す上端、すなわち、ダミー電極１３の液晶表示パネル形成領域２の端縁側に位置する端部は、液晶表示パネル形成領域２外に形成された放電用電極１４に接続されており、ダミー電極１３に蓄積されるラビング時の静電気を容量の大きい放電用電極１３に誘導して放電用電極１３で放電することができるようになっている。
【００２４】
前記ダミー電極１３の長手方向の他方の端部である図１において下方に示す下端の両角部、すなわち、ダミー電極１３の表示用電極４と対向する端面とダミー電極１３の長手方向に対して直交する方向に沿った両側面との接続部１５は、それぞれ平面曲線状、本実施形態においては、半径１００μｍ以上の円弧状に形成されており、ダミー電極１３に蓄積されるラビング時の静電気がダミー電極１３から表示用電極４に向かって放電するのを形状効果によって防止することができるようになっている。つまり、ダミー電極１３の下端の角部を鋭角に形成した場合には放電を生じやすくなる。
【００２５】
前記ダミー電極１３と、このダミー電極１３に隣位する表示用電極４との相互に対向する相互間の距離Ｌは、本実施形態において２０μｍ程度に形成されている。この距離Ｌとしては１０〜４０μｍ程度、好ましくは１５〜３０μｍの範囲に形成するとよい。この範囲より距離Ｌが長いと、ラビング時に、ダミー電極１３に対向する表示用電極４の表面に加わるラビング布の接触圧が、表示部３の中央部分に位置する表示用電極４の表面に加わるラビング布の接触圧より小さくなってラビングむらが生じる傾向がある。また、この範囲より距離Ｌが短いと、ダミー電極１３に蓄積されるラビング時の静電気がダミー電極１３から表示用電極４に向かって放電を起こしやすくなる傾向がある。
【００２６】
図２は本実施形態の反射型液晶表示パネル用マザー基板としてのリアパネル用マザー基板１１の断面構成を示すものであり、本実施形態のリアパネル用マザー基板１１は、ガラスなどの透明な素材により平面矩形状に形成された透明基板１６上に複数の液晶表示パネル形成領域２が設けられている。そして、液晶表示パネル形成領域２のうちの表示部３の形成領域、および、非表示部５の形成領域のうちの表示部３に隣位する部位には、光の反射機能を発揮する金属反射層１７が設けられている。この金属反射層１７は、アルミニウムなどの金属を蒸着することなどにより形成されている。さらに、金属反射層１７の表面の表示部３となる部位には、カラー表示を行うためのカラーフィルタ１８が配設されており、透明基板１６の露出部、金属反射層１７の非表示部５に位置する露出部およびカラーフィルタ１８の表面は、アクリル系樹脂などの透明な絶縁膜により表面が平坦面となるように形成された平滑化層１９により覆われている。そして、平滑化層１９の平坦に形成された表面に、前記表示用電極４、ダミー電極１３、引出電極（図示せず）およびパネル電極（図示せず）が形成されている。こられの表示用電極４、ダミー電極１３、引出電極およびパネル電極は、平滑化層１９の表面に酸化インジウム錫（ＩＴＯ）などの透明導電膜をフォトリソ法などによりパターニングして表示用電極４を形成する際に、表示用電極４と同時に形成されている。すなわち、パネル電極、引出電極およびダミー電極１３は、表示用電極４と同一の素材により形成された透明導電膜により表示用電極４と同一の厚さにて形成されている。また、表示用電極４、ダミー電極１３、引出電極およびパネル電極の表面には、液晶分子を一定の形態に配列させるためのポリイミドなどの高分子からなる配向膜（図示せず）が配設されている。この配向膜の表面は、ラビング布を巻いたローラなどで一方向にこすることなどによる配向処理が施されており、こすった方向に液晶分子が配列するようにされている。
【００２７】
その他の構成は、従来公知の金属反射層を有する反射型液晶表示パネル用マザー基板と同様に構成されているので、その詳しい説明は省略する。
【００２８】
つぎに、前述した構成からなる本実施形態の作用について説明する。
【００２９】
本実施形態の反射型液晶表示パネル用マザー基板としてのリアパネル用マザー基板１１によれば、ダミー電極１３は、表示用電極４の表面に加わるラビング布の接触圧を一様にしてラビングむらが生じるのを防止することができるとともに、ダミー電極１３の液晶表示パネル形成領域２の端縁側に位置する端部、すなわちパネル形成領域２外に向かって延びるように非表示部に配設される表示に関与しない他方の端部が液晶表示パネル形成領域２外に形成された放電用電極１４に接続されているので、ダミー電極１３に蓄積されるラビング時の静電気を容量の大きい放電用電極１４に誘導して放電用電極１４との接続部で放電することができる。
【００３０】
したがって、本実施形態のリアパネル用マザー基板１１によれば、ダミー電極１３と表示用電極４との間に放電が生じるのを防止できるので、表示むらを確実に抑制することができる。
【００３１】
また、本実施形態のリアパネル用マザー基板１１によれば、ダミー電極１３の表示用電極４と対向する端面とダミー電極１３の長手方向に対して直交する方向に沿った両側面との接続部１５がそれぞれ平面曲線状に形成されているので、ダミー電極１３に蓄積されるラビング時の静電気がダミー電極１３から表示用電極４に向かって放電するのを形状効果によってより確実に防止することができる。
【００３２】
さらに、本実施形態のリアパネル用マザー基板１１によれば、ダミー電極１３と表示用電極４との相互に対向する相互間の距離Ｌが２０μｍ程度に形成されているので、ラビング時に、ダミー電極１３に対向する表示用電極４の表面に加わるラビング布の接触圧が、表示部３の中央部分に位置する表示用電極４の表面に加わるラビング布の接触圧より小さくなってラビングむらが生じるのを防止する機能と、ダミー電極１３に蓄積されるラビング時の静電気がダミー電極１３から表示用電極４に向かって放電するのを防止する機能とを両立させることがより確実にできる。
【００３３】
なお、本発明は前記実施形態に限定されるものではなく、必要に応じて種々変更することができる。
【００３４】
【発明の効果】
以上説明したように請求項１に係る本発明の反射型液晶表示パネル用マザー基板によれば、表示用電極の面に加わるラビング布の接触圧を一様にしてラビングむらが生じるのを防止することができるとともに、ダミー電極に蓄積されるラビング時の静電気を、ダミー電極と表示用電極との間でなく、放電用電極で強制的に確実かつ容易に放電させることができるなどの極めて優れた効果を奏する。したがって、ダミー電極と表示用電極との間に放電が生じるのを防止できるので、表示むらが生じることのない反射型液晶表示パネル用マザー基板を確実に得ることができるなどの極めて優れた効果を奏する。
【００３５】
また、請求項２に係る本発明の反射型液晶表示パネル用マザー基板によれば、ダミー電極と表示用電極との間に放電が生じるのをより確実に防止することができるなどの極めて優れた効果を奏する。
【００３６】
また、請求項３に係る本発明の反射型液晶表示パネル用マザー基板によれば、ラビングむらが生じるのを防止する機能と、放電するのを防止する機能とを両立させることがより確実にできるなどの極めて優れた効果を奏する。
【図面の簡単な説明】
【図１】  本発明に係る反射型液晶表示パネル用マザー基板の実施形態の要部を拡大して示す概略平面図
【図２】  図１に示す反射型液晶表示パネル用マザー基板の断面構成を示す断面図
【図３】  従来の反射型液晶表示パネル用マザー基板の要部を拡大して示す概略平面図
【符号の説明】
２  液晶表示パネル形成領域
３  表示部
４  表示用電極
５  非表示部
１１  （反射型液晶表示パネル用マザー基板としての）リアパネル用マザー基板
１２  反射型液晶表示パネル
１３  ダミー電極
１４  放電用電極
１５  接続部
１６  透明基板
１７  金属反射層
１８  カラーフィルタ
１９  平滑化層
【図１】
0004659977.tif 000002
【図２】
0004659977.tif 000003
【図３】
0004659977.tif 000004